(57)【特許請求の範囲】
【請求項１】
内部に貯留水（１１）を貯える貯水槽（１０）と、
前記貯留水中に有機物を含む浄化対象ガスの微細な気泡（１２）を形成する気泡形成手段（２０）と、
前記貯留水中にヒドロキシラジカルを生成するラジカル生成手段（５０）と、を備え、
前記気泡の周囲に生成されたヒドロキシラジカルにより、前記気泡内の前記有機物を分解するものであり、
前記貯留水中から離脱した前記浄化対象ガスを室内（９）へ吹き出す吹出口（６１）と、
前記室内のガスを冷却する冷却手段（７０）と、
前記冷却手段が前記室内のガスを冷却する際に生成される凝縮水を前記貯水槽内へ導入する凝縮水導入手段（７１）と、を備えることを特徴とする浄化装置。
【請求項２】
前記貯留水は、有機物を含有しており、
前記ラジカル生成手段が生成するヒドロキシラジカルにより、前記貯留水中の有機物も分解することを特徴とする請求項１に記載の浄化装置。
【請求項３】
水生生物（１０２）を収容する収容水槽（１０１）内の水を前記貯水槽内へ導入する水槽水導入手段（１２６）と、
前記貯留水を前記収容水槽内へ導出する貯留水導出手段（２２６）と、を備え、
前記水槽水導入手段で前記収容水槽内の水が前記貯水槽内へ導入されることにより、前記貯留水は有機物を含有し、
前記貯留水導出手段は、ヒドロキシラジカルによって含有する有機物が分解された前記貯留水を前記収容水槽内へ導出することを特徴とする請求項２に記載の浄化装置。
【請求項４】
内部に貯留水（１１）を貯える貯水槽（１０）と、
前記貯留水中に有機物を含む浄化対象ガスの微細な気泡（１２）を形成する気泡形成手段（２０）と、
前記貯留水中にヒドロキシラジカルを生成するラジカル生成手段（５０）と、を備え、
前記気泡の周囲に生成されたヒドロキシラジカルにより、前記気泡内の前記有機物を分解するものであり、
前記貯留水は、有機物を含有しており、
前記ラジカル生成手段が生成するヒドロキシラジカルにより、前記貯留水中の有機物も分解するものであり、
水生生物（１０２）を収容する収容水槽（１０１）内の水を前記貯水槽内へ導入する水槽水導入手段（１２６）と、
前記貯留水を前記収容水槽内へ導出する貯留水導出手段（２２６）と、を備え、
前記水槽水導入手段で前記収容水槽内の水が前記貯水槽内へ導入されることにより、前記貯留水は有機物を含有し、
前記貯留水導出手段は、ヒドロキシラジカルによって含有する有機物が分解された前記貯留水を前記収容水槽内へ導出することを特徴とする浄化装置。
【請求項５】
前記貯留水導出手段は、前記気泡を含んだ前記貯留水を前記収容水槽内へ導出することを特徴とする請求項３または請求項４に記載の浄化装置。
【請求項６】
前記ラジカル生成手段は、前記貯留水に超音波を照射する超音波照射手段であることを特徴とする請求項１ないし請求項５のいずれか１つに記載の浄化装置。
【請求項７】
前記気泡形成手段は、形成する前記気泡の内部にオゾンを混入させることを特徴とする請求項１ないし請求項６のいずれか１つに記載の浄化装置。
【発明の詳細な説明】
【技術分野】
【０００１】
本発明は、浄化対象ガスに含まれる有機物をヒドロキシラジカルによって分解する浄化装置に関する。
【背景技術】
【０００２】
従来技術として、下記特許文献１に開示された空気清浄器がある。この空気清浄器では、ヒドロキシラジカル発生部材であるポリアニリンを担持したハニカム構造体に空気を流通しつつ、加湿ノズルから水を噴霧してハニカム構造体の表面に水を供給するようになっている。これにより、ポニアニリンが水を酸化してヒドロキシラジカルを生成し、ハニカム構造体の表面に付着したにおい物質を分解するようになっている。
【先行技術文献】
【特許文献】
【０００３】
【特許文献１】特許第４１２０２９９号公報
【発明の概要】
【発明が解決しようとする課題】
【０００４】
しかしながら、上記従来技術の空気清浄器では、ハニカム構造体の表面に接触する空気中の有機物は分解されるものの、ハニカム構造体の表面から離れた位置を通過する空気中の有機物を分解することが困難である。したがって、空気清浄器内を流れる空気を確実には浄化し難く、充分な浄化性能が得難いという問題がある。
【０００５】
本発明は、上記点に鑑みてなされたものであり、浄化対象ガスを浄化する性能を向上することが可能な浄化装置を提供することを目的とする。
【課題を解決するための手段】
【０００６】
上記目的を達成するため、開示された発明の一つでは、
内部に貯留水（１１）を貯える貯水槽（１０）と、
貯留水中に有機物を含む浄化対象ガスの微細な気泡（１２）を形成する気泡形成手段（２０）と、
貯留水中にヒドロキシラジカルを生成するラジカル生成手段（５０）と、を備え、
気泡の周囲に生成されたヒドロキシラジカルにより、気泡内の有機物を分解するものであり、
貯留水中から離脱した浄化対象ガスを室内（９）へ吹き出す吹出口（６１）と、
室内のガスを冷却する冷却手段（７０）と、
冷却手段が室内のガスを冷却する際に生成される凝縮水を貯水槽内へ導入する凝縮水導入手段（７１）と、を備えることを特徴としている。
また、開示された発明の他の一つでは、
内部に貯留水（１１）を貯える貯水槽（１０）と、
貯留水中に有機物を含む浄化対象ガスの微細な気泡（１２）を形成する気泡形成手段（２０）と、
貯留水中にヒドロキシラジカルを生成するラジカル生成手段（５０）と、を備え、
気泡の周囲に生成されたヒドロキシラジカルにより、気泡内の有機物を分解するものであり、
貯留水は、有機物を含有しており、
ラジカル生成手段が生成するヒドロキシラジカルにより、貯留水中の有機物も分解するものであり、
水生生物（１０２）を収容する収容水槽（１０１）内の水を貯水槽内へ導入する水槽水導入手段（１２６）と、
貯留水を収容水槽内へ導出する貯留水導出手段（２２６）と、を備え、
水槽水導入手段で収容水槽内の水が貯水槽内へ導入されることにより、貯留水は有機物を含有し、
貯留水導出手段は、ヒドロキシラジカルによって含有する有機物が分解された貯留水を収容水槽内へ導出することを特徴としている。
【０００７】
これらのいずれかによると、貯留水中に浄化対象ガスを微細な気泡として取り込み、ラジカル生成手段で気泡の周囲に生成したヒドロキシラジカルによって、気泡中の有機物を分解することができる。したがって、浄化対象ガスの微細気泡を取り囲む気液界面の全域から、ヒドロキシラジカルによる有機物の分解を行い、浄化対象ガスを確実に浄化することができる。このようにして、浄化対象ガスを浄化する性能を向上することができる。
【０００８】
また、本発明のさらなる特徴は、ラジカル生成手段が、貯留水に超音波を照射する超音波照射手段である点にある。
【０００９】
これによると、超音波照射手段により貯留水に照射された超音波によって、微細気泡がキャビテーション種となるキャビテーションが生じる。このキャビテーションにより微細気泡が圧壊する際に、微細気泡の周囲に容易にヒドロキシラジカルを生成することができる。したがって、浄化対象ガスを浄化する性能を容易に向上することができる。
【００１０】
なお、上記各手段に付した括弧内の符号は、後述する実施形態記載の具体的手段との対応関係を示す一例である。
【図面の簡単な説明】
【００１１】
【図１】本発明を適用した第１の実施形態における浄化装置の概略構成を示す模式図である。
【図２】アスピレータの概略構成を示す断面図である。
【図３】超音波照射による気泡の圧壊現象を説明するための図である。
【図４】第２の実施形態における浄化装置の概略構成を示す模式図である。
【図５】第３の実施形態における浄化装置の概略構成を示す模式図である。
【発明を実施するための形態】
【００１２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００１３】
（第１の実施形態）
本発明を適用した第１の実施形態について、図１〜図３を参照して説明する。
【００１４】
本実施形態の浄化装置１は、例えばコンテナ８の室内９の空気を浄化するためのものである。図１に示すように、浄化装置１は、水タンク１０、気泡発生器２０、振動子５０、送風ダクト６０および制御装置１００等を備えている。
【００１５】
水タンク１０は、例えば金属製であり、上部が開口した容器体である。水タンク１０は、内部に貯留水１１を貯えるものであり、本実施形態における貯水槽に相当する。気泡発生器２０は、水タンク１０内の底部近傍に配設されている。気泡発生器２０は、例えば金属製のアスピレータ２１および水ポンプ２８を備えている。水ポンプ２８は、吸入した貯留水１１を、導水管２６を介してアスピレータ２１に吐出するようになっている。
【００１６】
図２に例示するように、アスピレータ２１は、水の流路を絞るノズル部２２を有している。ノズル部２２の図示右方端の導入口２３には、前述の導入管２６が接続している。導入口２３から導入された水は、ノズル部２２の先端開口を通過して、図示左方端の噴出口２４から水タンク１０内へ噴出するようになっている。
【００１７】
アスピレータ２１内においてノズル部２２の先端開口が臨む空間には、図示上端の吸入口２５が連通している。吸入口２５には、図１に示す吸気管２７の下流端が接続している。吸気管２７の上流端は、室内９に連通しており、吸気管２７には、室内９の空気が流入可能となっている。吸気管２７の上流端には、フィルタ３０が配設されており、吸気管２７に吸入される空気から比較的大きな異物を除去するようになっている。また、吸気管２７には、送気用のポンプ２９が配設されている。
【００１８】
図２に示すように、アスピレータ２１は、内部に導入口２３から噴出口２４へ向かう水流が形成されると、内径が絞られたノズル部２２の先端において水の流速が増大する。これに伴い、ベンチュリ効果によって水の圧力が低下する。この圧力が低下した水流に、吸入口２５から吸入される空気が巻き込まれる。そして、噴出口２４から噴出する水には、多数の微細な気泡１２が含まれる。気泡発生器２０は、貯留水１１中に微細な気泡を形成する気泡形成手段に相当する。気泡１２は、例えば直径が１００μｍ以下の所謂マイクロバブルである。
【００１９】
図１に示すように、水タンク１０内には、水タンク１０の側壁面に沿って振動子５０が配設されている。振動子５０は、振動することによって超音波を発振するものである。振動子５０は、貯留水１１に超音波を照射する超音波照射手段に相当する。振動子５０は水タンク１０の側壁面に設置されるものに限定されず、例えば、水タンク１０の底部に配設されるものであってもよい。また、振動子５０は、１つに限らず複数設けるものであってもよい。また、振動子５０は、１つの周波数の超音波を発振するものに限定されず、同時に複数の周波数の超音波を発振するものであってもよい。
【００２０】
水タンク１０の上方には、例えば金属製あるいは樹脂製の送風ダクト６０が配設されている。送風ダクト６０の上流端は、水タンク１０の上部開口に接続している。送風ダクト６０の下流端は、例えばコンテナ８の側壁部に接続して開口している。送風ダクト６０の下流端の開口は、室内９へ空気を吹き出す吹出口６１となっている。送風ダクト６０内には、空気を上流端から下流端へ向かって送気するための送風ファン６２が配設されている。
【００２１】
室内９には、室内９を空調するための空調装置７０が設けられている。詳細図示は省略しているが、空調装置７０は、室内９の空気を冷却可能な例えば冷却用熱交換器を備えている。空調装置７０は、室内９の空気を冷却する冷却手段に相当する。空調装置７０は、室内９の空気を冷却する際に、空気中に含まれる水蒸気を凝縮して凝縮水を生成する。空調装置７０は、生成した凝縮水を室外へ排出するためのドレン管７１を有している。ドレン管７１の下流端は、水タンク１０内に連通している。
【００２２】
室内９には、室内９の環境状態を検出するための環境センサ８０が配設されている。環境センサ８０は、例えば、室内９の温度、湿度、埃、菌、および、エチレンガス等の有機物の濃度を検出する検出手段を構成する。エチレンガスは、例えば室内９に貯蔵される貨物が青果物等である場合に、青果物等が発生する所謂老化ガスである。
【００２３】
制御手段である制御装置１００は、環境センサ８０が検出した環境状態情報を入力し、この入力情報と予め設定された設定条件とに基づいて、水ポンプ２８、ポンプ２９、振動子５０、送風ファン６２および空調装置７０等を作動制御するようになっている。
【００２４】
次に、上記構成に基づき浄化装置１の作動について説明する。
【００２５】
制御装置１００は、室内９の温度が設定温度範囲から外れている場合には、空調装置７０を駆動して、室内９の温度が設定温度範囲内となるように調節する。空調装置７０が室内９の空気を冷却する際に生成される凝縮水は、ドレン管７１を介して、水タンク１０内へ導入される。ドレン管７１は、凝縮水を貯留槽内へ導入する凝縮水導入手段に相当する。
【００２６】
制御装置１００は、室内９の湿度が設定湿度よりも低い場合には、例えば、振動子５０を加湿モードで振動させて、所謂超音波加湿を行う。ここで加湿モードとは、例えば、１ＭＨｚ〜５ＭＨｚの周波数の超音波を発振することである。このとき、例えば送風ファン６２を作動させて、加湿した空気を室内９へ送風する。
【００２７】
室内９の加湿は、例えば、水ポンプ２８を駆動することによっても行うことができる。水ポンプ２８を駆動すると、前述したアスピレータ２１の作用により、貯留水１１中に多数の微細な気泡１２を形成することができる。この際に、比表面積が大きい気泡１２内には、比較的速やかに水蒸気が取り込まれる。したがって、貯留水１１の水面から上昇する空気内には、多量の水蒸気が含まれている。この空気を室内９へ送風することでも、室内９の加湿を行うことができる。このとき、送風ファン６２は、送風をアシストするように駆動するものであってもよい。また、ポンプ２９も室内９の空気の吸入をアシストするように駆動するものであってもよい。
【００２８】
制御装置１００は、室内９の空気に含まれる有機物の量が設定値よりも多い場合には、水ポンプ２８を駆動するとともに、振動子５０をキャビテーションモードで振動させる。ここで、キャビテーションモードとは、例えば、数ｋＨｚ〜３ＭＨｚ、好ましくは２０ｋＨｚ〜１ＭＨｚの周波数の超音波を発振することである。
【００２９】
水ポンプ２８を駆動することにより、前述したアスピレータ２１の作用により、貯留水１１中に多数の微細な気泡１２を生成する。これに加えて、振動子５０により貯留水１１に超音波を照射することによって、貯留水１１中の微細な気泡１２にキャビテーションを生じさせる。キャビテーションにより気泡１２が圧壊する際に、気泡１２内の有機物が分解され、気泡１２内の空気が浄化される。
【００３０】
具体的には、振動子５０により貯留水１１に超音波を照射すると、図３の上段に例示するように、貯留水１１中の圧力が時間とともに変動する。これに伴い、図３の下段に示すように、微細な気泡１２は、断熱圧縮および断熱膨張を繰り返す。気泡１２が断熱圧縮する際に、気泡１２の内部および気泡１２と貯留水１１との気液界面は、高温かつ高圧の反応場となり、気泡１２が圧壊する。すなわち、気泡１２が圧力により崩壊する。気泡１２内の圧力は、例えば、５ＭＰａ〜１００ＭＰａにまで上昇する。
【００３１】
気泡１２が圧壊する際に、気泡１２と貯留水１１との気液界面に位置する水分子が熱分解して酸化力の強いヒドロキシラジカルとなる。一般的にヒドロキシラジカルの酸化ポテンシャルは有機物の結合エネルギーよりも高い。したがって、気泡１２内に含まれるエチレンや菌等を速やかに分解し、二酸化炭素や水等を生成する。このとき、気泡１２内に含まれる水蒸気の水分子からもヒドロキシラジカルが生成され、有機物の分解に寄与する。振動子５０は、貯留水１１中にヒドロキシラジカルを生成するラジカル生成手段に相当する。
【００３２】
上述した作用により、内部の有機物が分解された気泡１２は、貯留水１１中を上昇する。具体的には、例えば気泡１２の圧壊により形成された気泡群となって貯留水１１中を上昇する。そして、貯留水１１の水面から上方へ浄化された空気として離脱する。このように水タンク１０内で浄化された空気は、送風ダクト６０内を流れ吹出口６１から室内９へ吹き出される。このとき、送風ファン６２は、送風をアシストするように駆動するものであってもよい。また、ポンプ２９もアスピレータ２１への室内９の空気の吸入をアシストするように駆動するものであってもよい。
【００３３】
室内９の空気を吸入し貯留水１１内で浄化して室内９へ吹き出す浄化装置１内の空気循環は、水ポンプ２８、ポンプ２９および送風ファン６２のいずれか１つの駆動もしくは複数の駆動の組み合わせにより行うことが可能である。
【００３４】
上述の構成および作動によれば、気泡発生器２０により貯留水１１中に浄化対象ガスである室内９の空気を微細な気泡１２として取り込み、振動子５０で気泡１２の周囲に生成したヒドロキシラジカルによって、気泡１２中の有機物を分解することができる。したがって、微細な気泡１２を取り囲む気液界面の全域から、ヒドロキシラジカルによる有機物の分解を行い、空気を確実に浄化することができる。このようにして、空気浄化性能を向上することができる。
【００３５】
また、ヒドロキシラジカルの生成は、振動子５０から貯留水１１に超音波を照射することにより、容易に行うことができる。すなわち、振動子５０の駆動により貯留水１１に照射された超音波によって、微細な気泡１２がキャビテーション種となるキャビテーションが生じる。このキャビテーションにより微細な気泡１２が圧壊する際に、気泡１２の周囲に容易にヒドロキシラジカルを生成することができる。したがって、空気浄化性能を容易に向上することができる。
【００３６】
ヒドロキシラジカルの寿命は、例えば１００万分の１秒程度と短いが、微細な気泡１２の周囲でヒドロキシラジカルを生成するので、有機物を確実に分解することが可能である。
【００３７】
従来技術として、例えば特開２００５−２６１４２８号公報に開示されたエチレンガスの改質方法がある。この方法では、水滴を付着させた通気性保水体に紫外線発光管で紫外線を照射しつつ、通気性保水体にエチレンガスを含む気体を通過させて、水滴中に生成したヒドロキシラジカルによりエチレンガスをエタンと水とに改質している。
【００３８】
この方法においては、紫外線が水に吸収されやすいため、紫外線発光管と通気性保水体とを至近距離、例えば１０ｍｍ以内の距離に近接させて配置している。また、紫外線発光管は１０℃以下では発光強度が低下するため、紫外線発光管と通気性保水体と間にヒータを設けている。
【００３９】
これらにより、上記従来の方法では、エチレンガスを含む気体の通気が妨げられやすいという問題がある。また、ヒータによる加熱により浄化した空気の温度が上昇し、室内の温度も上昇し易くなるという問題もある。室内に野菜などの生鮮農産物等を保管する場合には、鮮度維持が困難になってしまう。
【００４０】
本実施形態の浄化装置１によれば、浄化対象ガスである空気の通気が阻害され難いとともに、室内９へ吹き出す空気温度も上昇し難いという利点がある。
【００４１】
また、空調装置７０はドレン管７１を有しており、空調装置７０が室内９の空気を冷却する際に生成される凝縮水を、ドレン管７１を介して水タンク１０内へ導入するようになっている。
【００４２】
これによると、水タンク１０内で浄化された空気を吹出口６１から室内９へ供給するときに、空気は貯留水１１に触れたことによって水蒸気を水タンク１０内から室内９へ持ち出している。そして、空調装置７０が室内９の空気を冷却する際に、室内９の水蒸気は凝縮水となり、凝縮水はドレン管７１により水タンク１０内へ導入される。したがって、水タンク１０内から持ち出された水を水タンク１０内へ還流させることができる。
【００４３】
（第２の実施形態）
次に、第２の実施形態について図４に基づいて説明する。
【００４４】
第２の実施形態は、前述の第１の実施形態と比較して、気泡内にオゾンを混入させる構成を有する点が異なる。なお、第１の実施形態と同様の部分については、同一の符号をつけ、その説明を省略する。
【００４５】
図４に示すように、本実施形態の浄化装置はオゾン発生器９０を備えている。オゾン発生器９０は、例えば紫外線ランプを有するオゾン発生手段とすることができる。オゾン発生器９０で生成されたオゾンは、例えばポンプ２９を介して吸気管２７を流れる空気に混入されるようになっている。したがって、水ポンプ２８が駆動してアスピレータ２１から気泡１２が発せられるときには、気泡１２の内部にはオゾンが混入している。
【００４６】
本実施形態の構成によると、第１の実施形態と同様の効果を得ることができる。また、気泡１２内にオゾンを混入することにより、気泡１２の周囲の貯留水１１にオゾンを反応させることによっても、ヒドロキシラジカルを生成することができる。オゾンは、単独でも高い酸化力を有するが、水と共存することで、すなわち、オゾン水となることで、さらに酸化力が高いヒドロキシラジカルを生成する。
【００４７】
したがって、ヒドロキシラジカルの生成量を増大させて、空気を一層確実に浄化することができる。また、貯留水１１に含まれる有機物も二酸化炭素や水等に容易に分解することができ、貯留水１１も確実に浄化することができる。
【００４８】
（第３の実施形態）
次に、第３の実施形態について図５に基づいて説明する。
【００４９】
第３の実施形態は、前述の第１の実施形態と比較して、水生生物を収容する収容水槽内の水の浄化も行う構成を有する点が異なる。なお、第１の実施形態と同様の部分については、同一の符号をつけ、その説明を省略する。
【００５０】
図５に示すように、本実施形態のコンテナ８内には、水生生物である魚介類１０２を収容する収容水槽である水槽１０１が配設されている。本実施形態の浄化装置においては、水ポンプ２８は、水槽１０１内の水を導水管１２６を介してアスピレータ２１に供給するようになっている。
【００５１】
また、送風ダクト６０内には、水タンク１０内から水槽１０１内へ水を還流するための導水管２２６が配設されている。導水管２２６の上流端は、水タンク１０内の上部の貯留水１１中に開口している。一方、導水管２２６の下流端は、水槽１０１内の水中に開口している。
【００５２】
水ポンプ２８および導水管１２６は、収容水槽内の水を貯水槽内へ導入する水槽水導入手段に相当する。導水管２２６は、貯水槽内の貯留水を収容水槽内へ導出する貯留水導出手段に相当する。導水管２２６は送風ダクト６０内に配設するものに限定されず、送風ダクト６０の外部で水タンク１０内と水槽１０１内とを連通するものであってもよい。
【００５３】
また、導水管２２６の下流端は、水槽１０１内の上部の水中に開口するものに限定されるものではない。例えば、導水管２２６の下流端は水槽１０１の水面よりも上方に位置するものであってもよい。このような配設構成の場合には、導水管２２６にポンプ手段を設けたり、導水管２２６の下流端に逆止弁を設けたりすることが好ましい。
【００５４】
また、本実施形態の浄化装置においても、第１の実施形態で説明したポンプ２９、送風ファン６２、空調装置７０、ドレン管７１および環境センサ８０等を採用してもかまわない。また、第２の実施形態で説明したオゾン発生器９０を採用してもかまわない。
【００５５】
上述した構成の浄化装置では、水ポンプ２８を駆動すると、アスピレータ２１の作用により、貯留水１１中に多数の微細な気泡１２を生成する。このとき、アスピレータ２１には、導水管１２６を介して水槽１０１内の有機物を含む水が供給されるとともに、吸気管２７を介して室内９の有機物を含む空気が吸入される。したがって、アスピレータ２１から水タンク１０内へは、有機物を含む微細な気泡１２が多数形成された、有機物を含む水流が噴出する。
【００５６】
水タンク１０内では、振動子５０により貯留水１１に超音波を照射することによって、貯留水１１中の微細な気泡１２が圧壊する際に、貯留水１１中にヒドロキシラジカルが生成される。このヒドロキシラジカルにより、気泡１２内の有機物が分解されるとともに、水槽１０１内から持ち込まれた貯留水１１中の有機物も分解される。このようにして、気泡１２内の空気および貯留水１１が浄化される。
【００５７】
内部の有機物が分解された気泡１２は、貯留水１１中を上昇し、貯留水１１の水面から上方へ浄化された空気として離脱する。このように水タンク１０内で浄化された空気は、送風ダクト６０内を流れ吹出口６１から室内９へ吹き出される。一方、水タンク１０内を上昇する最中に含有する有機物が分解された貯留水１１は、水タンク１０内の上部において導水管２２６に流入し、浄化された水として水槽１０１内へ戻される。
【００５８】
このとき、導水管２２６内へは浄化された気泡１２の一部も流入し、水槽１０１内のエアレーションを行うことができる。なお、導水管２２６内への気泡１２の流入がなかったとしても、貯留水１１中には微細な気泡１２が多数形成されているので、溶存酸素濃度が極めて高い水を水槽１０１へ供給することができる。
【００５９】
本実施形態の浄化装置によれば、第１の実施形態と同様の効果を得ることができる。さらに、水タンク１０内の貯留水１１は有機物を含有しており、振動子５０が発振する超音波によって生成するヒドロキシラジカルにより、貯留水１１中の有機物も分解する。すなわち、水タンク１０内において、空気の浄化と水の浄化とを同時に行うことができる。
【００６０】
また、魚介類１０２を収容する水槽１０１内の水を水タンク１０内へ導入する導水管１２６と、貯留水１１を水槽１０１内へ導出する導水管２２６とを備えている。そして、導水管１２６で水槽１０１内の水が水タンク１０内へ導入されることにより、貯留水１１は有機物を含有することになり、導水管２２６は、ヒドロキシラジカルによって含有する有機物が分解された貯留水１１を水槽１０１内へ導出する。
【００６１】
これによれば、コンテナ８の室内９の空気の浄化と、水槽１０１内の水の浄化とを同時に行うことができる。水タンク１０内で生成されたヒドロキシラジカルの寿命は極めて短いので、ヒドロキシラジカルが室内９や水槽１０１内へ持ち込まれることはない。したがって、水槽１０１内の魚介類１０２にヒドロキシラジカルが悪影響を与えることはない。
【００６２】
また、導水管２２６は、気泡１２を含んだ貯留水１１を水槽１０１内へ導出する。これによれば、水タンク１０内で浄化された清浄な気泡１２により、水槽１０１内の水をエアレーションすることができる。
【００６３】
水槽１０１内の水生生物は水産動物である魚介類１０２であったが、これに限定されるものでない。例えば、海草等の植物であってもかまわない。
【００６４】
また、水槽水導入手段および貯留水導出手段にそれぞれ管部材を採用していたが、これに限定されるものではない。例えば、水タンク１０と水槽１０１とを室内９において隣接配置した場合には、水槽水導入手段および貯留水導出手段に、通水性を有する多孔の仕切板を用いてもかまわない。
【００６５】
（他の実施形態）
以上、本発明の好ましい実施形態について説明したが、本発明は上述した実施形態に何ら制限されることなく、本発明の主旨を逸脱しない範囲において種々変形して実施することが可能である。
【００６６】
上記各実施形態では、ラジカル生成手段として超音波を発振する振動子５０を採用していたが、これに限定されるものではない。例えば、気泡発生器により発生する気泡を直径が１μｍ未満の所謂ナノバブルとする構成を採用してもかまわない。ナノバブルは、比表面積が極めて大きいため界面張力により自己圧壊する。ナノバブルが圧壊する際にヒドロキシラジカルが生成され、ナノバブル内の有機物が分解されてナノバブル内の空気が浄化される。
【００６７】
また、上記各実施形態では、気泡発生器２０にアスピレータ２１を用いていたが、これに限定されるものではない。例えばポンプにより圧送した室内の空気を多孔体を介して貯留水中に噴出させ、貯留水中に気泡を形成するものであってもよい。
【００６８】
また、上記各実施形態では、浄化対象ガスである空気は、移動式のコンテナ８の室内９の空気としていたが、これに限定されるものではない。例えば定置式の倉庫や家屋の室内の空気であってもよいし、移動式の車両の室内の空気であってもかまわない。
【００６９】
また、上記各実施形態では、浄化装置は室内９の空気を浄化して室内９へ戻す構成であったが、これに限定されるものではない。例えば、室外の空気を浄化して室内へ吹き出すものであってもよい。
【００７０】
また、上記各実施形態では、浄化装置は室外に配置されていたが、これに限定されるものではない。浄化装置は室内に配置されるものであってもよい。
【００７１】
また、上記各実施形態では、浄化対象ガスは空気であったが、これに限定されるものではない。例えば、機械装置のチャンバー内等にパージされた窒素ガスやヘリウムガス等の気体であってもかまわない。
【符号の説明】
【００７２】
１  浄化装置
１０  水タンク（貯水槽）
１１  貯留水
１２  気泡
２０  気泡発生器（気泡発生手段）
５０  振動子（ラジカル生成手段、超音波照射手段）
【図１】
0005870828.tif 000002
【図２】
0005870828.tif 000003
【図３】
0005870828.tif 000004
【図４】
0005870828.tif 000005
【図５】
0005870828.tif 000006